(57)【特許請求の範囲】
【請求項１】
バッテリーセルと、このバッテリーセルの一の面に沿って配置された回路基板とを備え、前記回路基板がポリアミド樹脂またはポリウレタン樹脂のモールド成型部により前記バッテリーセルに一体的に固着されたバッテリーにおいて、前記回路基板は、この回路基板を前記一の面に投影したときの輪郭線のうち、少なくとも幅方向の輪郭を表す２本の輪郭線が該一の面の輪郭線からそれぞれ０．４ｍｍ以上内側に位置するように形成され、該回路基板が前記モールド成型部内に埋設されていることを特徴とするバッテリー。
【請求項２】
請求項１記載のバッテリーにおいて、前記回路基板は、前記一の面に沿って平行に配置された基板本体と、この基板本体の前記一の面に対向する面と反対側の面に搭載された電子部品とを有して構成され、前記モールド成型部の前記一の面からの厚み寸法が、前記一の面から前記電子部品の端面までの寸法より大とされていることを特徴とするバッテリー。
【請求項３】
請求項１又は２記載のバッテリーにおいて、前記一の面とその隣接する面との稜線部が湾曲面に形成され、前記幅方向の輪郭を表す輪郭線が前記湾曲面の内側に位置していることを特徴とするバッテリー。
【発明の詳細な説明】
【０００１】
【発明の属する技術分野】
この発明は、携帯端末等に用いられるバッテリーに係り、特に、バッテリーセルに回路基板をモールド成型部により一体的に固着した構成のバッテリーに関する。
【０００２】
【従来の技術】
従来、携帯電話機等の携帯端末に使用されるバッテリーとして、バッテリーセルに各種の回路基板、例えば過電流に対する保護回路基板等を備えたものが提供されている。一般にこの種のバッテリーは、取り扱いの便宜や意匠上の観点から前記回路基板をバッテリーセルにモールド樹脂により一体的に固着するようにしている。
【０００３】
図４、図５は、上記従来のバッテリーの一例を示すものであり、図４において符号１はバッテリーセル、符号２はモールド成型部である。バッテリーセル１は、一定の厚みをもって矩形に形成されたものであり、略その全体がアルミニウム製のケーシング３により覆われており、該ケーシング３が正極を構成し、ケーシング３の側面に図示しない負極が形成されている。
【０００４】
図５に示すように、バッテリーセル１の側面４には回路基板５が装着されている。回路基板５は、矩形に形成された基板本体６に各種の電子部品７を搭載したものであり、基板本体６を側面４に沿って平行に位置させ、この基板本体６の裏面を両面接着テープ８により側面４に貼り付けることによりバッテリーセル１に取り付けられている。回路基板５は、図示しない電極端子によりバッテリーセル１と電気的に接続されている。
【０００５】
回路基板５は、前記モールド成型部２内に埋設され、このモールド成型部２によってバッテリーセル１に一体的に固着された構造となっている。即ち、このバッテリーは、バッテリーセル１に回路基板５を組み付けたのち、この回路基板５をモールド成型により樹脂内に埋設し、該樹脂からなるモールド成型部２をバッテリーセル１に一体化した構造となっている。
【０００６】
この場合モールド成型部２は、バッテリーセル１の側面４、１１に形成されることによって外観コ字状となっており、側面４、１１と同一幅、かつ所定の厚みをもって側面４、１１の延在する方向に形成されている。
なお、バッテリーセル１及び回路基板５からの電源出力は、図４に示す出力ケーブル１８を介してコネクタ１９から取り出されるようになっている。
【０００７】
【発明が解決しようとする課題】
ところで、上記のバッテリーにおいては、バッテリーセル１の厚み寸法Ｔ１と基板本体６の短手方向寸法Ｔ２とを略同一寸法に設定する一方、モールド成型金型の複雑化を避ける観点からモールド成型部２の幅寸法Ｔ３をバッテリーセル１の厚み寸法Ｔ１と略同一寸法に設定していたため、モールド成型部２の成型時に基板本体６によって樹脂の流動が阻害され、樹脂の充填効率が不十分であるとともに、図４に示すように成型後のモールド成型部２の表面に基板本体６の側面が露出することがあるという問題があった。
【０００８】
モールド成型部２に基板本体６が露出した場合には、バッテリーの外観不良となってこれを商品として市場に提供できなくなるとともに、分解再利用が困難なためコストバランスの観点からバッテリー製造上多大な経済的損失が生じるという問題があった。
【０００９】
この発明は、このような事情を考慮してなされたもので、その目的は、バッテリーセルに沿って回路基板が配置され、該回路基板がモールド成型部によりバッテリーセルに一体的に固着されたバッテリーにおいて、モールド成型時に樹脂の充填効率を高めるとともに外観不良の発生を防止し得るようにしたバッテリーを提供することにある。
【００１０】
【課題を解決するための手段】
上記の目的を達成するために、この発明は以下の手段を提供している。請求項１に係る発明は、バッテリーセルと、このバッテリーセルの一の面に沿って配置された回路基板とを備え、前記回路基板がポリアミド樹脂またはポリウレタン樹脂のモールド成型部により前記バッテリーセルに一体的に固着されたバッテリーにおいて、前記回路基板は、この回路基板を前記一の面に投影したときの輪郭線のうち、少なくとも幅方向の輪郭を表す２本の輪郭線が該一の面の輪郭線からそれぞれ０．４ｍｍ以上内側に位置するように形成され、該回路基板が前記モールド成型部内に埋設されていることを特徴とするものである。
【００１１】
この発明に係るバッテリーによれば、モールド成型部の成型時に、金型内面と回路基板の側面との間に０．４ｍｍ以上の間隙が形成されているので、回路基板が樹脂の流動の障害になることがなく、高い充填効率をもって樹脂が充填され、モールド成型後に回路基板が外部に露出する等の外観不良の発生が防止される。
【００１２】
請求項２に係る発明は、請求項１記載のバッテリーにおいて、前記回路基板は、前記一の面に沿って平行に配置された基板本体と、この基板本体の前記一の面に対向する面と反対側の面に搭載された電子部品とを有して構成され、前記モールド成型部の前記一の面からの厚み寸法が、前記一の面から前記電子部品の端面までの寸法より大とされていることを特徴とするものである。
【００１３】
この発明に係るバッテリーによれば、モールド成型部が回路基板の電子部品側を覆い、バッテリーの外観不良の発生が防止される。請求項３に係る発明は、請求項１又は２記載のバッテリーにおいて、前記一の面とその隣接する面との稜線部が湾曲面に形成され、前記幅方向の輪郭を表す輪郭線が前記湾曲面の内側に位置していることを特徴とするものである。
【００１４】
この発明に係るバッテリーによれば、金型内面と回路基板との間に所定の間隙が存在して樹脂の流動が確保されるため、これら金型内面と回路基板との間の樹脂の流動がスムーズになされ、高い充填効率をもって樹脂が充填されるとともに外観不良の発生が防止される。
【００１５】
【発明の実施の形態】
以下、図面を参照し、この発明の一実施の形態について説明する。図１、図２はこの発明を携帯端末用バッテリーに適用した場合のものを示しており、これらの図に示す携帯端末用バッテリーＡ（バッテリー）は、バッテリーセル１と、このバッテリーセル１の側面４に沿って配置された回路基板５とを備え、回路基板５がモールド成型部２によりバッテリーセル１に固着された構成であり、この基本的な構成は前述した図４、図５に示すものと同様である。
【００１６】
なお、図１〜図３において、図４、図５に示す構成と同一部分については同一符号を付し、その説明を省略する。以下、図４、図５と異なる部分についてのみ説明する。
【００１７】
携帯端末用バッテリーＡが図４、図５の構成と異なる点は、バッテリーセル１の側面４に対する回路基板５の寸法関係である。
即ち、図２、図３に示すように回路基板５の基板本体６は、この基板本体６を側面４（一の面）に投影したときの輪郭線２０のうち、少なくとも幅方向の輪郭を表す輪郭線２０Ａが側面４の輪郭線２１の内側に位置するように形成されている。より具体的には、基板本体６の幅方向の輪郭を表す輪郭線２０Ａと側面４の幅方向の輪郭を表す輪郭線２１との間には寸法Ｔ４の間隔が形成されている。
【００１８】
また、モールド成型部２の側面４からの厚み寸法Ｌ０が側面４から電子部品７の端面７Ａまでの寸法Ｌ１より大となるように形成されており、電子部品７の端面７Ａとモールド成型部２の表面との間には寸法Ｌ２の間隔が形成されている。
【００１９】
また更に、基板本体６の長さ方向の輪郭を表す輪郭線２０Ｂと側面４の輪郭線２１との間には寸法Ｌ３の間隔が形成されている。また、バッテリーセル１の側面４とその隣接する面（前面、背面）との稜線部２２は湾曲面とされているが、この稜線部２２の半径Ｒ１は一定寸法以下に設定されている。
なお、モールド成型部２の幅寸法Ｔ３はバッテリーセル１の厚み寸法（側面４の幅寸法）Ｔ１と同一寸法である。
【００２０】
モールド成型部２をポリアミド樹脂又はポリウレタン樹脂により成型する場合において、上記寸法の例としては、基板本体６の寸法Ｔ２をＴ１−０．８ｍｍ以下、Ｔ４を０．４ｍｍ以上、Ｌ２を０．４ｍｍ以上とすることが好ましい。金型内面と基板本体６の側面との間、金型内面と電子部品７の端面７Ａとの間に０．４ｍｍ以上の間隙が形成されていれば、樹脂がこれらの間隙をスムーズに流動し、高い充填効率をもって樹脂の充填を行えるからである。また、基板本体６の側面をモールド成型部２により確実に覆うことができるからである。
【００２１】
また、Ｒ１をＴ４と略同一寸法、又はＴ４以下とすることが好ましい。このような寸法関係に設定すれば、図３に示す幅方向の輪郭線２０Ａが稜線部２２を構成する湾曲面の内側、即ち、稜線部２２を構成する湾曲面と側面４の平坦面との境界線の内側（平坦面側）に位置することになるため、金型内面と基板本体６の側面との間に樹脂の流路が確保されて樹脂をスムーズに流動させることができるとともに、稜線部２２に薄厚の剥がれやすい樹脂部が形成されるのを防止することができる。
【００２２】
上記のバッテリーＡにおいて、バッテリーセル１にモールド成型部２を成型する際には、基板本体６や電子部品７が樹脂の流動の障害となることがなく、樹脂の充填がスムーズになされ、高い充填効率をもって樹脂の充填を行うことができる。また、基板本体６，電子部品７がモールド成型部２内に埋設され、回路基板５全体がモールド成型部２及びバッテリーセル１によって覆われるため、基板本体６の露，出等の外観不良が発生する虞れがない。
【００２３】
このように、携帯端末用バッテリーＡは、外観不良の発生を抑えることができるので、製品の歩留まりの向上を図ることができる効果が得られる。
なお、この発明は、携帯端末用バッテリーだけでなく、各種の電子機器用のバッテリーにも適用できるものである。
【００２４】
【発明の効果】
以上説明したように、請求項１に係る発明によれば、バッテリーセルに沿って配置された回路基板がモールド成型部により前記バッテリーセルに一体的に固着されたバッテリーにおいて、モールド成型部の成型時に、金型内面と回路基板の側面との間に０．４ｍｍ以上の間隙が形成することにより回路基板と金型内面との間を樹脂が流動できるように構成したので、回路基板が樹脂の流動の障害になることがなく、高い充填効率をもって樹脂を充填することができ、モールド成型後に回路基板が外部に露出する等の外観不良の発生を防止することができ、製品製作上歩留まりの向上を図ることができるという効果が得られる。
【００２５】
また、請求項２に係る発明によれば、モールド成型部の厚み寸法が回路基板の電子部品の端面までの寸法より大とされているため、モールド成型部が電子部品側を覆い、バッテリーの外観不良の発生を防止することができる。
【００２６】
また、請求項３に係る発明によれば、金型内面と回路基板との間隔を充分に確保することができるので、これら金型内面と回路基板との間の樹脂の流動がスムーズになされ、高い充填効率をもって樹脂を充填することができるとともに外観不良の発生を防止することができる。
【図面の簡単な説明】
【図１】  この発明の一実施形態に係るバッテリーの斜視図である。
【図２】  図１に示すバッテリーの要部の一部を断面視した側面図である。
【図３】  図１に示すバッテリーの各部材間における寸法関係を示す説明図である。
【図４】  従来のバッテリーの一例を示す斜視図である。
【図５】  図４に示すバッテリーの要部の一部を断面視した側面図である。
【符号の説明】
Ａ    バッテリー
１    バッテリーセル
２    モールド成型部
４    一の面（側面）
５    回路基板
６    基板本体
７    電子部品
７Ａ  端面
２０  輪郭線
２０Ａ  幅方向の輪郭を表す輪郭線
２１  一の面の輪郭線
【図１】
0003737395.tif 000002
【図２】
0003737395.tif 000003
【図３】
0003737395.tif 000004
【図４】
0003737395.tif 000005
【図５】
0003737395.tif 000006